(57)【要約】セルスポットを通って移動している移動体デバイス（１０２）を使用して、セルラ無線通信ネットワーク（１００）内で第１の基地局（１５０２）のセルスポットを検出する方法であって、  第２の基地局（１５００）から第１の基地局に対する移動体デバイスの第１のハンドオーバを実行するステップと、  第１の値を決定するステップ（３０２）であって、第１の値が移動体デバイスと第１の基地局との間の距離を示している、決定するステップ（３０２）と、  第１の値が第１のしきい値を超えるかどうかを決定するステップ（３０２）と、  第１の基地局から移動体デバイスの第２のハンドオーバを実行するステップ（１０００）と、  第１のハンドオーバと第２のハンドオーバとの間の時間に基づいて、第２の値を決定するステップ（３０８）と、  第２の値が第２のしきい値未満であるかどうかを決定するステップ（３０８）と、  第１の値が第１のしきい値を超え、かつ第２の値が第２のしきい値未満である場合、セルスポットを示している情報を格納するステップ（３１２）と、  前記情報が格納されている場合、第２の基地局から第１の基地局に対するハンドオーバを実行するための後続のハンドオーバ要求を拒絶するステップとを含む方法。
2013502792.tif 000002
【特許請求の範囲】
【請求項１】
セルスポットを通って移動している移動体デバイス（１０２）を使用して、セルラ無線通信ネットワーク（１００）内で第１の基地局（１５０２）の前記セルスポットを検出する方法であって、
第２の基地局（１５００）から前記第１の基地局に対する前記移動体デバイスの第１のハンドオーバを実行するステップと、
第１の値を決定するステップ（３０２）であって、前記第１の値が前記移動体デバイスと前記第１の基地局との間の距離を示している、決定するステップ（３０２）と、
前記第１の値が第１のしきい値を超えるかどうかを決定するステップ（３０２）と、
前記第１の基地局から前記移動体デバイスの第２のハンドオーバを実行するステップ（１０００）と、
前記第１のハンドオーバと前記第２のハンドオーバとの間の時間に基づいて、第２の値を決定するステップ（３０８）と、
前記第２の値が第２のしきい値未満であるかどうかを決定するステップ（３０８）と、
前記第１の値が前記第１のしきい値を超え、かつ前記第２の値が前記第２のしきい値未満である場合、前記セルスポットを示している情報を格納するステップ（３１２）と、
前記情報が格納されている場合、前記第２の基地局から前記第１の基地局に対するハンドオーバを実行するための後続のハンドオーバ要求を拒絶するステップとを含む方法。
【請求項２】
前記第１の基地局に対する前記ハンドオーバが拒絶された後で、ハンドオーバのために少なくとも１つの第３の基地局が準備される、請求項１に記載の方法。
【請求項３】
前記情報が格納されている場合、前記移動体デバイスの前記ハンドオーバパラメータが修正される、請求項１または２のいずれか１項に記載の方法。
【請求項４】
前記第１の値が、前記移動体デバイスと前記第１の基地局との間の通信信号のタイミングアドバンスである、請求項１乃至３のいずれか１項に記載の方法。
【請求項５】
前記第２の値が、前記第１のハンドオーバと前記第２のハンドオーバとの間の時間である、請求項１乃至４のいずれか１項に記載の方法。
【請求項６】
前記第２の値が、前記第１のハンドオーバと前記第２のハンドオーバとの間で前記移動体デバイスが移動した距離である、請求項１乃至４のいずれか１項に記載の方法。
【請求項７】
検出されたセルスポットに関する統計値が、前記第２の基地局内、第３の基地局内、または中央ネットワーク要素内に格納される、請求項１乃至６のいずれか１項に記載の方法。
【請求項８】
前記情報が近接関係表（１５１２）内に格納される、請求項１乃至７のいずれか１項に記載の方法。
【請求項９】
前記情報が前記第１の基地局内に格納される、請求項１乃至８のいずれか１項に記載の方法。
【請求項１０】
前記情報が前記第２の基地局内に格納される、請求項１乃至７のいずれか１項に記載の方法。
【請求項１１】
前記情報が第３の基地局内に格納される、請求項１乃至７のいずれか１項に記載の方法。
【請求項１２】
前記情報がネットワーク要素（５００）内に格納される、請求項１乃至７のいずれか１項に記載の方法。
【請求項１３】
第２の基地局から第１の基地局に対する移動体デバイスの第１のハンドオーバを実行するステップと、
第１の値を決定するステップであって、前記第１の値が前記移動体デバイスと前記第１の基地局との間の距離を示している、決定するステップと、
前記第１の値が第１のしきい値を超えるかどうかを決定するステップと、
前記第１の基地局から前記移動体デバイスの第２のハンドオーバを実行するステップと、
前記第１のハンドオーバと前記第２のハンドオーバとの間の時間に基づいて、第２の値を決定するステップと、
前記第２の値が第２のしきい値未満であるかどうかを決定するステップと、
前記第１の値が前記第１のしきい値を超え、かつ前記第２の値が前記第２のしきい値未満である場合、前記セルスポットを示している情報を格納するステップと、
前記情報が格納されている場合、前記第２の基地局から前記第１の基地局に対するハンドオーバを実行するための後続のハンドオーバ要求を拒絶するステップと
を実行するための機械実行可能命令を含むコンピュータプログラム製品。
【請求項１４】
第２の基地局から第１の基地局に対する前記移動体デバイスの第１のハンドオーバを実行するステップと、
第１の値を決定するステップであって、前記第１の値が前記移動体デバイスと前記第１の基地局との間の距離を示している、決定するステップと、
前記第１の値が第１のしきい値を超えるかどうかを決定するステップと、
前記第１の基地局から前記移動体デバイスの第２のハンドオーバを実行するステップと、
前記第１のハンドオーバと前記第２のハンドオーバとの間の時間に基づいて、第２の値を決定するステップと、
前記第２の値が第２のしきい値未満であるかどうかを決定するステップと、
前記第１の値が前記第１のしきい値を超え、かつ前記第２の値が前記第２のしきい値未満である場合、前記セルスポットを示している情報を格納するステップと、
前記情報が格納されている場合、前記第２の基地局から前記第１の基地局に対するハンドオーバを実行するための後続のハンドオーバ要求を拒絶するステップと
を実行するように動作可能であるネットワーク要素。
【請求項１５】
第２の基地局から第１の基地局に対する前記移動体デバイスの第１のハンドオーバを実行するステップと、
第１の値を決定するステップであって、前記第１の値が前記移動体デバイスと前記第１の基地局との間の距離を示している、決定するステップと、
前記第１の値が第１のしきい値を超えるかどうかを決定するステップと、
前記第１の基地局から前記移動体デバイスの第２のハンドオーバを実行するステップと、
前記第１のハンドオーバと前記第２のハンドオーバとの間の時間に基づいて、第２の値を決定するステップと、
前記第２の値が第２のしきい値未満であるかどうかを決定するステップと、
前記第１の値が前記第１のしきい値を超え、かつ前記第２の値が前記第２のしきい値未満である場合、前記セルスポットを示している情報を格納するステップと、
前記情報が格納されている場合、前記第２の基地局から前記第１の基地局に対するハンドオーバを実行するための後続のハンドオーバ要求を拒絶するステップと
を実行するように動作可能である基地局装置。
【発明の詳細な説明】
【技術分野】
【０００１】
本発明は、セルラ無線通信ネットワーク内で基地局のセルスポットを検出する方法に関する。
【背景技術】
【０００２】
セルラ無線通信ネットワークでは、セルラ無線通信ネットワークの基地局に接続されている移動体デバイスによって実行される測定に基づいて、セルラ無線通信ネットワークの１つのセルから別のセルに対してハンドオーバが実行される。
【０００３】
ターゲット基地局に対する接続がソース基地局に対する接続よりも良好なとき、ターゲット基地局に対するハンドオーバが実行される。通常、ターゲット基地局は、ソース基地局の近接基地局である。
【発明の概要】
【課題を解決するための手段】
【０００４】
本発明は、セルラ無線通信ネットワーク内でセルスポットを検出するための方法、コンピュータプログラム製品、ネットワーク要素、および基地局装置を提供する。本発明の実施形態は、従属クレームにおいて提示される。
【０００５】
本明細書において、セルスポットは、少なくとも１つのセルによって囲まれたセルラネットワーク内のセルのローブ型の領域と理解される。セルスポットの基地局は、少なくとも１つの近接するセルの基地局よりも遠い距離内に位置づけられる。好ましくは、セルスポット内の移動体デバイスとセルスポットの基地局との間の距離は、セルスポット内の移動体デバイスと少なくとも１つの近接するセルの基地局との間の距離の２倍である。通常、セルスポットは、そのセルスポットから離れて位置づけられているセルラ無線通信ネットワークの共通セルにサービス提供している基地局に属する。
【０００６】
「基地局」という用語は、本明細書において使用される場合、移動体デバイスおよび別の基地局とデータを交換することが可能な任意のタイプの固定されたネットワーク要素を指す。「移動体デバイス」という用語は、本明細書において使用される場合、無線通信リンク上で無線通信ネットワークとデータを交換することが可能な任意のタイプの移動体通信端末を指す。したがって、移動体デバイスは、とりわけ、無線通信インターフェースを備えた電話、ラップトップコンピュータ、または携帯情報端末（ＰＤＡ）であってよい。
【０００７】
「ターゲットセル」という用語は、本明細書において、他の定義が提示されてない場合、セルスポットから共通セルに対する第２のハンドオーバ手順のターゲットセルを意味する。
【０００８】
本発明の実施形態によれば、セルスポットが検出されて、後続のハンドオーバが回避される。したがって、セルラ無線通信ネットワーク内で第１の基地局のセルスポットを検出する方法は、セルスポットを通って移動している移動体デバイスを使用する。第２の基地局から第１の基地局に対する移動体デバイスの第１のハンドオーバが実行される。
【０００９】
移動体デバイスと第１の基地局との間の距離を示す第１の値が決定される。例えば、第１の値は、移動体デバイスと第１の基地局との間の通信信号のタイミングアドバンス（ｔｉｍｉｎｇ  ａｄｖａｎｃｅ）である。タイミングアドバンスは、信号伝播遅延を示している値である。したがって、タイミングアドバンスから、移動体デバイスと第１の基地局との間の距離を決定することが可能である。
【００１０】
第１の基地局から移動体デバイスの第２のハンドオーバが実行される。第２のハンドオーバは、第２の基地局または第３の基地局に対して実行可能である。第２の値は、第１のハンドオーバと第２のハンドオーバとの間の時間に基づいて決定される。例えば、第２の値は、第１のハンドオーバと第２のハンドオーバとの間の時間である。もう１つの可能性は、第２の値が第１のハンドオーバと第２のハンドオーバとの間の距離であることである。
【００１１】
第２の値を決定した後で、第２の値が第２のしきい値未満であるかどうかが決定される。第１の値が第１のしきい値を超え、かつ第２の値が第２のしきい値未満である場合、セルスポットを示す情報が格納される。その情報が格納されている場合、第２の基地局から第１の基地局に対するハンドオーバを実行するための後続のハンドオーバ要求は拒絶される。
【００１２】
第１の値は、移動体デバイスと第１の基地局との間の距離を示す。したがって、第１の値が第１のしきい値を超える場合、これは、移動体デバイスと第１の基地局との間の距離が所定の最大値よりも大きいことを意味する。第２の値は、第１のハンドオーバと第２のハンドオーバとの間の時間に基づく。したがって、第２の値が第２のしきい値未満である場合、これは、第１のハンドオーバと第２のハンドオーバとの間の時間が最小値よりも短いことを意味する。これらの２つの条件は、セルスポットを検出するための基準である。セルスポットにサービス提供している基地局が所定の値よりも大きな距離内に位置づけられ、そのセルスポットが第２の所定の値よりも小さいとき、セルスポットが検出される。
【００１３】
したがって、本発明の実施形態によれば、後続のハンドオーバに関してセルスポットが識別されて、回避される。セルスポットに対する第１のハンドオーバが実行されるとき、移動体デバイスはハンドオーバを非常に迅速に順次実行するため、これは有利である。結果として、セルスポット内へのハンドオーバは無駄に実行されることが多く、システムリソースが無駄にされる。このため、例えば、近接関係表内へのエントリーを用いて、それらのセルスポットを横断するハンドオーバを識別して、除外しなければならない。
【００１４】
本発明の実施形態によれば、セルスポットに対するハンドオーバが拒絶された後で、ハンドオーバのために他の基地局が準備される。
【００１５】
本発明の実施形態によれば、移動体デバイスがセルスポットに近づいたとき、そのセルスポットにサービス提供する第１の基地局に対するハンドオーバを遅らせるために、移動体デバイスのハンドオーバパラメータが修正される。所望される限り、第１の基地局との接続が回避され、完全に回避可能であるため、これは有利である。例えば、すべての他の基地局に対する接続の品質があるしきい値未満であるために、第１の基地局に対するハンドオーバを回避することができない場合、ソース基地局はセルスポットに対するハンドオーバが実行されたことを知っているにもかかわらず、第１の基地局に対するハンドオーバが実行される。
【００１６】
本発明の実施形態によれば、第１の値は、移動体デバイスと第１の基地局との間の通信信号のタイミングアドバンスである。タイミングアドバンスは、移動体デバイスと第１の基地局との間の距離を示している値である。したがって、タイミングアドバンスが最大値を超えるとき、これは、第１の基地局と移動体デバイスとの間の距離が所定の最大距離よりも大きいことを意味する。これはセルスポットを識別するための第１の基準である。
【００１７】
本発明の実施形態によれば、第２の値は、第１のハンドオーバと第２のハンドオーバとの間の時間である。したがって、第１のハンドオーバと第２のハンドオーバとの間の時間が所定の最小値よりも短いとき、セルスポットに関する第２の基準は満たされる。
【００１８】
本発明の実施形態によれば、第２の値は、第１のハンドオーバと第２のハンドオーバとの間で移動体デバイスが移動した距離である。したがって、基地局は、移動体デバイスのアップリンク受信タイミングからタイミングアドバンスを定期的に決定する。上で説明されたように、タイミングアドバンスは、移動体デバイスと基地局との間の距離を示す。さらに、基地局は、移動体デバイスとの通信の方向を決定する。第１のハンドオーバのときの通信の方向と、第２のハンドオーバのときの通信の方向とを決定した後で、これらの２つの方向同士の間の角度が決定される。これにより、基地局は、第１のハンドオーバと第２のハンドオーバとの間で移動体デバイスが基地局に向かって移動した距離または基地局から離れた距離、および第１のハンドオーバの信号方向と第２のハンドオーバの信号方向との間の角度を知る。
【００１９】
これらの２つの値から、ａ２＝ｂ２＋ｃ２−２ｂｃ＊ｃｏｓ（α）によって、その移動体デバイスが移動した総距離が計算され、ｂは、第１のハンドオーバのときの移動体デバイスと第１の基地局との間の距離であり、ｃは、第２のハンドオーバのときの移動体デバイスと第１の基地局との間の距離であり、αは、２つの信号方向同士の間の角度である。本発明の実施形態によれば、計算された距離は、ハンドオーバ手順の間に、セルスポットの基地局からターゲット基地局に送信される。
【００２０】
言い換えれば、本発明の実施形態によれば、２つの基準が満たされたとき、セルスポットが検出される。第１の基準は、そのセルスポットにサービス提供している基地局に対する移動体デバイスの距離である。第２の基準は、第１のハンドオーバと第２のハンドオーバとの間のタイミングアドバンスに基づく値によって決定されるセルスポットのサイズである。
【００２１】
本発明の実施形態によれば、検出されたセルスポットに関する統計値が第２の基地局内に格納される。これにより、十分な数の移動体デバイスがそのセルスポットを検出した場合、そのセルスポットの第１の基地局に対する後続のハンドオーバだけが回避される。セルスポットの１つの誤った検出は、結果として、複数の後続のハンドオーバの回避をもたらさないため、これは有利である。
【００２２】
本発明の実施形態によれば、その情報は近接関係表内に格納される。例えば、その情報が格納される近接関係表は、第１の基地局内、もしくは第２の基地局内、または第３の基地局内に位置づけられる。その情報は、セルスポットを識別する。例えば、セルスポットは、別のセル内に位置づけられる。これは、そのセルスポットが１つのセルだけに囲まれていることを意味する。これにより、そのセルスポットを囲んでいるセルからそのセルスポットに対する第１のハンドオーバが実行される。そのセルスポットからその囲んでいるセルに対する第２のハンドオーバが実行される。本発明の実施形態によれば、セルスポットを示している情報は、その囲んでいるセルにサービス提供している基地局の近接関係表内に格納される。これは、近接関係表内で、そのセルスポットのセル識別はセルスポットであるとしてマーキングされ、そのセルスポットに対するハンドオーバが拒絶されることを意味する。
【００２３】
本発明の実施形態によれば、その情報は、別のセルによって囲まれているセルスポットにサービス提供している第１の基地局内に格納される。例えば、その囲んでいるセルからのハンドオーバがそのセルスポットに対して実行されるべきである場合、そのセルスポットの基地局は、ハンドオーバ要求を拒絶する。
【００２４】
本発明の実施形態によれば、その情報は、第２の基地局内に格納される。好ましくは、その情報は、第２の基地局の近接関係表内に格納される。この場合、そのセルスポットに対する後続のハンドオーバは実行されない。
【００２５】
本発明の実施形態によれば、その情報は、第３の基地局内に格納される。好ましくは、その情報は、第３の基地局の近接関係表内に格納される。例えば、セルスポットは、第２の基地局のセルが第３の基地局のセルと重複する領域内に位置づけられる。セルスポットは、第１の基地局によってサービス提供され、第１のセルは、第２の基地局によってサービス提供され、第２のセルは、第３の基地局によってサービス提供される。移動体デバイスが第１のセル内に位置づけられて、そのセルスポットと重複している第２のセルとに向けて移動するとき、そのセルスポットから第２のセルに対する第２のハンドオーバが実行される前に、第１のセルからそのセルスポットに対する第１のハンドオーバが実行される。これにより、例えば、セルスポット内の移動体デバイスの横断距離を知ることによって、第３の基地局はそのセルスポットを検出する。
【００２６】
本発明の実施形態によれば、第１のハンドオーバと第２のハンドオーバとの間の時間は、基地局から別の基地局または中央ネットワーク要素への信号によって、その基地局またはその中央ネットワーク要素に送信される。例えば、最後に訪問したセルの履歴情報がハンドオーバ要求メッセージ内に含まれる。この履歴情報は、グローバルセルＩＤ、セルタイプ、およびその移動体デバイスがセル内に滞在した時間を含む、最後に訪問した情報を含めて、最後に訪問したセルのリストを含む。
【００２７】
本発明の実施形態によれば、その情報は、ネットワーク要素内に格納される。好ましくは、セルスポットの基地局は、セルスポット情報、例えば、タイミングアドバンス、および第１のハンドオーバと第２のハンドオーバとの間の時間またはそのセルスポットをセルスポットとして識別する情報を含む信号をセットアップして、適切な措置を開始するために、その信号を中央ネットワーク要素に送信する。適切な措置は、例えば、そのセルスポット内へのハンドオーバを回避することであり得る。
【００２８】
この信号は、時々、周期的に、または要求に応じて送信可能である。時々の送信は、そのセルスポットが検出されたとき、そのセルスポットの基地局が中央ネットワーク要素に知らせることを意味する。周期的な送信は、基地局がセルスポットに関する情報を中央ネットワーク要素に周期的に送信することを意味する。要求に応じた送信は、中央ネットワーク要素が、そのセルスポットにサービス提供している基地局から、検出されたセルスポットに関する情報を要求することを意味する。
【００２９】
もう１つの態様では、本発明は、以下のステップを実行するための機械実行可能命令を含むコンピュータプログラム製品に関する。すなわち、第２の基地局から第１の基地局に対する移動体デバイスの第１のハンドオーバを実行するステップと、第１の値を決定するステップであって、第１の値が移動体デバイスと第１の基地局との間の距離を示している、決定するステップと、第１の値が第１のしきい値を超えるかどうかを決定するステップと、第１の基地局から移動体デバイスの第２のハンドオーバを実行するステップと、第１のハンドオーバと第２のハンドオーバとの間の時間に基づいて、第２の値を決定するステップと、第２の値が第２のしきい値未満であるかどうかを決定するステップと、第１の値が第１のしきい値を超え、かつ第２の値が第２のしきい値未満である場合、セルスポットを示している情報を格納するステップと、その情報が格納されている場合、第２の基地局から第１の基地局に対するハンドオーバを実行するための後続のハンドオーバ要求を拒絶するステップとである。
【００３０】
本発明の実施形態によれば、セルスポットに対するハンドオーバが拒絶された後で、ハンドオーバのために他の基地局が準備される。
【００３１】
もう１つの態様では、本発明は、以下のステップを実行するように動作可能であるネットワーク要素に関する。すなわち、第２の基地局から第１の基地局に対する移動体デバイスの第１のハンドオーバを実行するステップと、第１の値を決定するステップであって、第１の値が移動体デバイスと第１の基地局との間の距離を示している、決定するステップと、第１の値が第１のしきい値を超えるかどうかを決定するステップと、第１の基地局から移動体デバイスの第２のハンドオーバを実行するステップと、第１のハンドオーバと第２のハンドオーバとの間の時間に基づいて、第２の値を決定するステップと、第２の値が第２のしきい値未満であるかどうかを決定するステップと、第１の値が第１のしきい値を超え、かつ第２の値が第２のしきい値未満である場合、セルスポットを示している情報を格納するステップと、その情報が格納されている場合、第２の基地局から第１の基地局に対するハンドオーバを実行するための後続のハンドオーバ要求を拒絶するステップとである。
【００３２】
本発明の実施形態によれば、セルスポットに対するハンドオーバが拒絶された後で、ハンドオーバのために他の基地局が準備される。
【００３３】
もう１つの態様では、本発明は、以下のステップを実行するように動作可能である基地局装置に関する。すなわち、第２の基地局から第１の基地局に対する移動体デバイスの第１のハンドオーバを実行するステップと、第１の値を決定するステップであって、第１の値が移動体デバイスと第１の基地局との間の距離を示している、決定するステップと、第１の値が第１のしきい値を超えるかどうかを決定するステップと、第１の基地局から移動体デバイスの第２のハンドオーバを実行するステップと、第１のハンドオーバと第２のハンドオーバとの間の時間に基づいて、第２の値を決定するステップと、第２の値が第２のしきい値未満であるかどうかを決定するステップと、第１の値が第１のしきい値を超え、かつ第２の値が第２のしきい値未満である場合、セルスポットを示している情報を格納するステップと、その情報が格納されている場合、第２の基地局から第１の基地局に対するハンドオーバを実行するための後続のハンドオーバ要求を拒絶するステップとである。
【００３４】
本発明の実施形態によれば、セルスポットに対するハンドオーバが拒絶された後で、ハンドオーバのために他の基地局が準備される。
【００３５】
当業者は、様々な上述の方法のステップはプログラムされたコンピュータによって実行可能である点を容易に理解されよう。本明細書において、いくつかの実施形態は、機械可読またはコンピュータ可読であり、かつ命令の機械実行可能プログラムまたはコンピュータ実行可能プログラムを符号化するプログラム記憶デバイス、例えば、デジタルデータ記憶媒体を網羅することも意図され、前記命令は、前記上述の方法のステップのうちのいくつかまたはすべてを実行する。このプログラム記憶デバイスは、例えば、デジタルメモリ、磁気ディスクおよび磁気テープなどの磁気記憶媒体、ハードドライブ、または光学可読デジタルデータ記憶媒体であってよい。これらの実施形態は、上述の方法の前記ステップを実行するようにプログラムされたコンピュータを網羅することも意図される。
【００３６】
この説明およびこれらの図面は、本発明の原理を単に例示する。したがって、当業者は、本明細書に明示的に説明または示されないが、本発明の原理を実現し、その趣旨内および範囲内に含まれる様々な構成を考案することが可能である点を理解されよう。さらに、本明細書に列挙されるすべての例は、主に、読者が当技術を進めるために本発明者らが貢献する本発明の原理およびそれらの概念を理解するのを助けるための教育だけを目的とし、そのように明記された例および条件に対して限定せずに解釈されるべきであることが明示的に意図される。さらに、本発明の原理、態様、および実施形態を列挙する、本明細書のすべての記述、ならびにそれらの特定の例は、それらの均等物を包含することが意図される。
【００３７】
次に、本発明の実施形態による方法および装置のいくつかの実施形態が、添付の図面を参照して、例としてだけ説明される。
【図面の簡単な説明】
【００３８】
【図１】セルスポットを含むセルラ無線通信ネットワークの概略図である。
【図２】セルスポットを含むセルラ無線通信ネットワーク内のセルの概略図である。
【図３】セルスポットの基地局内のセルスポット識別の流れ図である。
【図４】セルスポットの基地局内のセルスポット識別の流れ図である。
【図５】セルスポットと中央ネットワーク要素とを含むセルラ無線ネットワークの一部の概略図である。
【図６】セルスポットと中央ネットワーク要素とを含むセルラ無線通信ネットワークの一部の概略図である。
【図７】ターゲット基地局内の第２のハンドオーバのセルスポット識別の流れ図である。
【図８】ターゲット基地局内の第２のハンドオーバのセルスポット識別の流れ図である。
【図９】ターゲット基地局内の第２のハンドオーバのセルスポット識別の流れ図である。
【図１０】ターゲット基地局内の第２のハンドオーバのセルスポット識別の流れ図である。
【図１１】セルスポットと中央ネットワーク要素とを含むセルラ無線通信ネットワークの一部の概略図である。
【図１２】セルスポットを囲んでいるセルと中央ネットワーク要素とを含むセルラ無線通信ネットワークの一部を示す図である。
【図１３】２つの基地局および１つの移動体デバイスのブロック図である。
【図１４】基地局、中央ネットワーク要素、および移動体デバイスのブロック図である。
【発明を実施するための形態】
【００３９】
図１は、４つのセル１〜４と、セル１および２の重複領域内の第５番目のセルのセルスポットとを含むセルラ無線通信ネットワーク１００の一部の概略図を示す。移動体デバイス１０２は、セル１からセル４４およびセル２のセルスポットに向けて移動する。
【００４０】
移動体デバイスがセル４４のセルスポットに達したとき、セル１からセル４４に対するハンドオーバが実行される。次いで、非常に短い滞在時間の後で、セル４４からセル２に対する第２のハンドオーバが実行される。それぞれのハンドオーバ要求メッセージと共に、移動体デバイスの履歴情報が、第２のハンドオーバのターゲットセル、すなわち、この場合、セル２であるターゲットセルに送信される。この履歴情報は、セル識別と、セルタイプと、その移動体デバイスがそのセル内に滞在した時間と、最後に訪問したセル情報とを含めて、最後に訪問したセルリストを含む。したがって、セル４４からセル２に対する第２のハンドオーバに関するハンドオーバ要求メッセージ内で、移動体デバイス１０２の履歴情報は、移動体デバイス１０２がセル４４内に滞在した時間を含む。それによって、セル２の基地局は、セル４４のセルスポット内の移動体デバイス１０２の滞在時間を知る。
【００４１】
図２は、セル１内にセル４４のセルスポットと、セル１とセル４４とを含むセルラ無線通信ネットワークの一部の概略図を示す。移動体デバイス１０２は、セル１内でセル４４のセルスポットに向かって移動し、その後、移動体デバイス１０２は、再びセル１に向かってセル４４のセルスポットを去る。
【００４２】
移動体デバイスがセル４４のセルスポットに達したとき、セル１からセル４４に対する第１のハンドオーバが実行される。次いで、非常に短い滞在時間の後で、セル４４からセル１に対する第２のハンドオーバが実行される。上で説明されるように、第２のハンドオーバ手順の間に、セル１にサービス提供している基地局に履歴情報が送信される。
【００４３】
タイミングアドバンスは、セル４４にサービス提供している基地局によってアップリンク受信タイミングから測定されて、移動体デバイスに送信される。移動体デバイスは、伝播遅延に関して補償する目的で、基地局に対してその送信インスタンスを進めるかまたは遅らせるためにタイミングアドバンスを使用する。
【００４４】
図３は、セルスポットの基地局内のセルスポット識別の流れ図を示す。ステップ３００において、移動体デバイスはセルスポットに到着する。移動体デバイスは、ユーザ装置を意味するＵＥとして示される。セルスポットの基地局であるサービス提供基地局は、ステップ３０２において、タイミングアドバンスを確認する。タイミングアドバンスが所定の最大値ＴＡｍａｘを超える場合、ステップ３０４が実行される。ステップ３０４において、セルスポットの基地局は、この移動体デバイスに関する有効領域外にあると識別される。基地局は、進化型ノードＢ、すなわち、ＵＭＴＳネットワーク内の基地局を意味するｅＮＢとして示される。原則として、セルラ無線通信ネットワーク内の任意の種類の基地局が説明される形で動作可能である。タイミングアドバンスがしきい値ＴＡｍａｘを超えない場合、この手順はステップ３０６で停止する。
【００４５】
ステップ３０８において、基地局は、移動体デバイスがそのセル内に滞在した時間を最小しきい値Ｔｍｉｎと比較する。移動体デバイスがそのセル内に滞在した時間は、ステップ３１０から分かり、セルスポットの基地局から別の基地局に対するハンドオーバ準備メッセージを送信する。ハンドオーバ準備メッセージ内で、移動体デバイスの履歴情報が基地局に送信される。移動体デバイスの履歴情報は、移動体デバイスがそのセル内に滞在した時間を含む。
【００４６】
移動体デバイスがそのセル内に滞在した時間がしきい値Ｔｍｉｎ未満である場合、ステップ３１２において、セルスポットが検出される。移動体デバイスがそのセル内に滞在した時間がしきい値Ｔｍｉｎを超える場合、この手順はステップ３１４で停止する。
【００４７】
図４は、セルスポットの基地局内のセルスポット識別の流れ図を示す。これは、セルスポットを識別する代替様式である。ステップ３００において、移動体デバイスはセルスポットに到着する。移動体デバイスは、ユーザ装置を意味するＵＥとして示される。ステップ３０２において、図３で説明されたように、タイミングアドバンスがしきい値ＴＡｍａｘと比較される。タイミングアドバンスがしきい値ＴＡｍａｘを超える場合、サービス提供基地局は有効領域外にあるとして定義される。基地局は、進化型ノードＢを意味するｅＮＢとして示される。タイミングアドバンスがしきい値ＴＡｍａｘを超えない場合、この手順はステップ３０６で停止する。
【００４８】
移動体デバイスがセルスポット内で移動した距離Ｄは、上で説明されたように、ステップ３１０において、ハンドオーバ準備手順から基地局に知らされる。ハンドオーバ準備手順の間、距離Ｄはセルスポットの基地局からターゲット基地局に送信される。距離Ｄは、タイミングアドバンスの測定値と信号方向の角度とに基づいて、上で説明されたように、セルスポットの基地局によって決定される。
【００４９】
ステップ４０４において、距離Ｄは、最小しきい値Ｄｍｉｎと比較される。距離Ｄがしきい値Ｄｍｉｎ未満である場合、ステップ３１２において、セルスポットが検出される。これは、セルスポットを示す情報を、例えば、近接関係表内に格納させる。この距離がしきい値Ｄｍｉｎを超える場合、この手順は、ステップ３１４で停止する。
【００５０】
図５は、３つのセル１、２、および４４と、移動体デバイス１０２とを含むセルラ無線通信ネットワーク１００の一部の概略図を示す。さらに、このネットワークは、中央ＳＯＮサーバとして示される中央ネットワーク要素５００を含む。セル４４は、セル１および２の重複領域内にセルスポットを含む。
【００５１】
図５は、セルスポットを含むセルの基地局によって検出されたセルスポット情報を提供するための２つの可能性を示す。第１の可能性は、例えば、その情報をその近接関係表内に格納するセル１の基地局に知らせることである。セルスポットに関する情報は、例えば、Ｘ２インターフェースを経由して、セル４４の基地局からセル１の基地局に送信可能である。セル４４のセルスポットに関する情報がセル１の基地局内に格納されるとき、セル１からセル４４に対する後続のハンドオーバ手順はセル１の基地局によって回避される。
【００５２】
第２の可能性は、セル４４の基地局がセルスポットに関して中央ネットワーク要素５００に知らせ、中央ネットワーク要素５００がその情報を格納して、セル１からセル４４に対する後続のハンドオーバ手順を回避することである。
【００５３】
中央ネットワーク要素またはセル１の基地局に対するメッセージは、時々、周期的に、または要求に応じて送信可能である。
【００５４】
さらに、セル４４の基地局は、新しいターゲットセル２が前のソースセル１と異なるかどうかを識別する。これは、例えば、その移動体デバイスが前に接続されていたセルを含めて、その移動体デバイスの履歴情報によって行うことが可能である。
【００５５】
セル４４の基地局からセル１の基地局または中央ネットワーク要素５００に送信されたセルスポット情報は、例えば、セル４４のセルスポットが検出されたことであり得る。もう１つの可能性は、タイミングアドバンスと、横断距離または移動体デバイスがそのセルスポット内で費やした時間と、新しいターゲットセルとを送信することである。
【００５６】
図６は、セル１およびセル４４と、移動体デバイス１０２と、中央ネットワーク要素５００とを含むセルラ無線通信ネットワーク１００の一部を示す。セル４４のセルスポットはセル１によって囲まれている。図５において上で説明されたように、基地局は、新しいターゲットセル１が前のソースセル１と同一かどうかを識別する。セルスポットに関する情報は、セル１の基地局または中央ネットワーク要素５００に送信され得る。図５において上で説明されたように、セルスポット情報は、セルスポットが検出されたことであってよく、またはセルスポット情報は、タイミングアドバンスと、セルスポット内の移動体デバイスの横断距離または移動体デバイスがそのセルスポット内で費やした時間と、前のソースセル１と同一である新しいターゲットセル１とを含むことが可能である。この情報は、近接関係表内に格納可能である。
【００５７】
移動体デバイスがそのセルスポット内に滞在した時間は、ハンドオーバ要求メッセージの移動体デバイスの履歴情報内で既に送信されているため、セル４４のセルスポットの基地局は、残留セルスポット情報、例えば、タイミングアドバンスおよび／またはセルスポット内の移動体デバイスの横断距離をハンドオーバ要求メッセージ内に含めて、適切な措置を講じるために、それを新しいターゲット基地局と同一である前のソース基地局に送信する。
【００５８】
中央ネットワーク要素またはセル１の基地局に対するメッセージは、時々、周期的に、または要求に応じて送信可能である。
【００５９】
図７は、タイミングアドバンスの自律的報告によるターゲット基地局内のセルスポット識別の流れ図を示す。ステップ３００において、移動体デバイスはセルスポットに到着する。移動体デバイスがセルスポットに到着するとすぐに、移動体デバイスは、ステップ３０２において、タイミングアドバンスが所定の最大値ＴＡｍａｘを超えるかどうかを確認する。所定の最大値ＴＡｍａｘを超える場合、ステップ３０４において、基地局は、この移動体デバイスに関する有効領域外にあると識別される。移動体デバイスは、タイミングアドバンス情報を格納する。タイミングアドバンス情報がしきい値ＴＡｍａｘを超えない場合、この手順はステップ３０６で停止する。
【００６０】
ステップ３０４において、基地局が有効領域外にあることを決定した後で、移動体デバイスは、セルスポットからターゲットセル内にハンドオーバする。移動体デバイスがターゲット基地局にハンドオーバされるとすぐに、移動体デバイスは、ステップ７００において、セルスポットのタイミングアドバンスを自律的に基地局に報告する。
【００６１】
次いで、ステップ７０２において、基地局は、前に訪問したセルが有効領域外であったことを知る。ターゲット基地局は、セルスポットの基地局から受信されたハンドオーバ要求メッセージから移動体デバイスがそのセル内に滞在した時間を導出して、ステップ３０８において、移動体デバイスがそのセル内に滞在した時間が所定の最小値Ｔｍｉｎ未満であるかどうかを確認する。最小値Ｔｍｉｎ未満である場合、ターゲット基地局は、ステップ３１２において、セルスポットを識別して、セルスポットに関する情報は、例えば、近接関係表内に格納される。最小値Ｔｍｉｎ未満でない場合、この手順は、ステップ３１４で停止する。
【００６２】
図８は、タイミングアドバンスの自律的な報告によるターゲット基地局内のセルスポット識別の流れ図を示す。セルスポットは、図８において、セルスポット内で横断した経路長に従って識別される。ステップ３００において、上で説明されたように、移動体デバイスはセルスポットに到着する。ステップ３０２において、タイミングアドバンスが最大値ＴＡｍａｘと比較される。タイミングアドバンスがＴＡｍａｘ未満である場合、この手順はステップ３０６で停止し、タイミングアドバンスがそのしきい値を超える場合、ステップ３０４において、サービス提供基地局は有効範囲外にあると検出される。ステップ７００において、ターゲットセルに対するハンドオーバの後で、セルスポットのタイミングアドバンスがターゲット基地局に報告される。次いで、ステップ７０２において、ターゲット基地局は、前の基地局が有効範囲外にあることを知る。
【００６３】
ステップ８００において、移動体デバイスの履歴情報がターゲット基地局によって受信される。この場合、移動体デバイスの横断距離Ｄは、セルスポット基地局からターゲット基地局に対するハンドオーバの準備の間に、ハンドオーバ要求メッセージの移動体デバイスの履歴情報内に含まれなければならない。移動体デバイスが前のセル内に滞在した時間は、常に移動体デバイスの履歴情報内に含まれる。これにより、ターゲット基地局は、移動体デバイスがそのセル内に滞在した時間と、移動体デバイスの横断時間とを知る。
【００６４】
ステップ４０４において、距離Ｄが最小しきい値Ｄｍｉｎと比較される。その距離がしきい値よりも短い場合、基地局は、ステップ３１２において、セルスポットを識別して、それぞれの情報を格納する。その距離が最小距離Ｄｍｉｎよりも長い場合、この手順はステップ３２１４で停止する。
【００６５】
図９は、要求後のタイミングアドバンスの報告によるターゲット基地局内のセルスポット識別の流れ図を示す。ステップ３００において、移動体デバイスはセルスポットに到着する。ステップ３０２において、タイミングアドバンスが最大しきい値ＴＡｍａｘと比較される。タイミングアドバンスがしきい値未満である場合、この手順は、ステップ３０６で停止する。タイミングアドバンスがしきい値ＴＡｍａｘを超える場合、ステップ３０４において、サービス提供基地局は、有効範囲外にあるとして識別される。
【００６６】
ステップ１０００において、移動体デバイスは、ターゲットセルにハンドオーバする。ハンドオーバ手順の間に移動体デバイスが前のセル内に滞在した時間を含めて、移動体デバイスの履歴情報がターゲット基地局に送信される。ステップ３０８において、移動体デバイスが前のセル内に滞在した時間が最小しきい値Ｔｍｉｎと比較される。その時間がしきい値Ｔｍｉｎを超える場合、この手順は、ステップ３１４で停止する。移動体デバイスがそのセル内に滞在した時間がしきい値Ｔｍｉｎ未満である場合、前のセルは一時的なセルスポット１００２として検出される。
【００６７】
次いで、ステップ１００４において、タイミングアドバンスを報告するための要求が移動体デバイスに送信される。この要求時に、移動体デバイスは、ステップ１００６において、前のセルとの接続からのタイミングアドバイスをターゲットセルの基地局に送信する。ステップ１００８において、セルスポットを識別するために、タイミングアドバンスが使用される。ステップ３１２において、そのセルスポットはセルスポットとして検出され、そのセルスポットに関する情報は格納される。
【００６８】
図１０は、要求後のタイミングアドバンスの報告によるターゲット基地局内のセルスポット識別の概略図を示す。ステップ３００において、移動体デバイスはセルスポットに到着する。ステップ３０２において、タイミングアドバンスが最大値ＴＡｍａｘと比較される。タイミングアドバンスがしきい値を超える場合、ステップ３０４において、サービス提供基地局は有効範囲外にある。タイミングアドバンスがしきい値未満である場合、この手順はステップ３０６で停止する。
【００６９】
ステップ１１００において、移動体デバイスはターゲットセルにハンドオーバする。ハンドオーバ手順の間に移動体デバイスの履歴情報が新しいターゲット基地局に送信される。この履歴情報は、前のセル内の横断距離Ｄを含む。
【００７０】
ステップ４０４において、計算された距離が最小値Ｄｍｉｎと比較される。その距離がしきい値Ｄｍｉｎを超える場合、この手順はステップ３１４で停止する。その距離がしきい値Ｄｍｉｎ未満である場合、ステップ１００２において、前のセルは一時的なセルスポットとして識別される。ステップ１００４において、前の基地局に対する接続のタイミングアドバンスを報告するための移動体デバイスに対する要求が移動体デバイスに送信される。ステップ１００６において、タイミングアドバンスが移動体デバイスからサービス提供ターゲット基地局に送信される。ステップ１００８において、移動体デバイスからのタイミングアドバンス入力を用いて、一時的なセルスポットが識別される。ステップ３１２において、そのセルスポットはセルスポットとして識別され、その情報は格納される。
【００７１】
図１１は、３つのセル１、２、および４４と、移動体デバイス１０２と、中央ネットワーク要素５００とを含むセルラ無線通信ネットワーク１００の一部の概略図を示す。セル４４は、セル１および２の重複領域内に位置づけられているセルスポットを含む。
【００７２】
セルスポットは、セル２の基地局、すなわち、ターゲット基地局によって検出される。セル２の基地局は、ターゲットセル２が前のソースセル１と異なるかどうかを識別する。セルスポット情報は、中央ネットワーク要素５００またはセル１の基地局に送信可能である。この情報は、Ｘ２インターフェースを経由して送信可能であり、セルスポット情報、例えば、タイミングアドバンスと、横断距離とを含む信号がＸ２インターフェースを経由して送信されている。前のソース基地局は、移動体デバイスの履歴情報によって識別可能である。この信号は、時々、周期的に、または要求に応じて送信可能である。
【００７３】
図１２は、２つのセル１および４と、移動体デバイス１０２と、中央ネットワーク要素５００とを含むセルラ無線通信ネットワーク１００の一部の概略図を示す。セル４４は、セル１の領域内にセルスポットを含む。
【００７４】
セル１の基地局は、ターゲットセル１が前のソースセル１と同一であることを識別する。セルスポット情報は、セル１の基地局内に格納可能であり、またはセルスポット情報は、中央ネットワーク要素５００に送信可能である。中央ネットワーク要素５００に送信されている信号は、タイミングアドバンスと、セルスポット内の滞在時間または横断時間とを含むことが可能である。この信号は、時々、周期的に、または要求に応じて送信可能である。
【００７５】
図１３は、２つの基地局１５００および１５０２、ならびに移動体デバイス１５０４のブロック図を示す。それぞれの基地局は、プログラム１５０８を実行するように適合されたプロセッサ１５０６と、近接関係表１５１２が格納された記憶装置１５１０と、他の基地局ならびに移動体デバイス１５０４と通信するための２つのインターフェース１５１４および１５１６とを含む。移動体デバイスは、プロセッサ１５１８と、基地局と通信するためのインターフェース１５２０とを含む。
【００７６】
基地局１５００および１５０２は、同じ手順を実行することが可能である点に留意されたい。動作中、移動体デバイス１５０４は、インターフェース１５１４および１５２０を経由して第１の基地局１５００に接続される。移動体デバイス１５０４が第２の基地局１５０２のセルのセルスポットに向けて移動するとき、ハンドオーバ手順が開始される。移動体デバイス１５０４がインターフェース１５２０および１５１４を経由して基地局１５０２に接続されるとき、基地局１５０２は、タイミングアドバンスを測定する。非常に短い時間の後で、移動体デバイス１５０４は、基地局１５０２のセルスポットを通って移動しており、もとの基地局１５００に対するハンドオーバが開始される。
【００７７】
第２のハンドオーバ手順の間に移動体デバイスの履歴情報が基地局１５００に送信されていることにより、基地局１５００は、基地局１５０２のセルスポット内の移動体デバイスの滞在時間と、オプションで、セルスポット内の移動体デバイス１５０４の横断距離とを知る。基地局１５０２によって測定されたタイミングアドバンスは、やはり移動体デバイス１５０４を経由して基地局１５００に送信されるか、またはインターフェース１５１６を経由して基地局１５０２から直接的に基地局１５００に送信される。基地局１５００のプロセッサ１５０６は、上で説明された方法ステップを実行するプログラム１５０８を実行する。このプログラムと、タイミングアドバンスと、移動体デバイス１５０４の滞在時間と、オプションで、移動体デバイス１５０４の横断距離とに基づいて、基地局１５００は、基地局１５０２のセルスポットを検出する。このセルスポットに関する情報は、基地局１５００の記憶装置１５１０内に格納されるか、または基地局１５０２もしくは図示されない別の基地局に送信されることも可能である。好ましくは、この情報は、近接関係表１５１２内に格納される。
【００７８】
図１４は、中央ネットワーク要素５００、移動体デバイス１５０４、ならびに２つの基地局１５０２および１６００のブロック図を示す。基地局１５０２は、プログラム１５０８を実行するように適合されたプロセッサ１５０６と、近接関係表１５１２が格納された記憶装置１５１０と、中央ネットワーク要素５００、基地局１６００、ならびに移動体デバイス１５０４と通信するための２つのインターフェース１５１４および１５１６とを含む。移動体デバイスは、プロセッサ１５１８と、基地局１５０２および１６００、ならびに中央ネットワーク要素５００と通信するためのインターフェース１５２０とを含む。基地局１６００は、基地局１５０２、中央ネットワーク要素５００、ならびに移動体デバイス１５０４と通信するための２つのインターフェース１５１４および１６０２を含む。さらに、基地局１６００は、プロセッサ１５０６と記憶装置１５１０とを含む。
【００７９】
動作中、移動体デバイス１５０４は、インターフェース１５１４および１５２０を経由して基地局１５０２に接続される。移動体デバイス１５０４が基地局１６００のセルスポットに向けて移動するとき、ハンドオーバ手順が開始される。移動体デバイス１５０４がインターフェース１５２０および１５１４を経由してセルスポットの基地局１６００に接続されるとき、セルスポットの基地局１６００は、タイミングアドバンスを測定する。非常に短い時間の後で、移動体デバイス１５０４は、セルスポットを通って移動しており、もとの基地局１５００に対するハンドオーバが開始される。
【００８０】
第２のハンドオーバ手順の間に移動体デバイスの履歴情報が基地局１５０２に送信されていることにより、基地局１５０２は、基地局１６００のセルスポット内の移動体デバイスの滞在時間と、オプションで、セルスポット内の移動体デバイス１５０４の横断距離とを知る。基地局１６００によって測定されたタイミングアドバンスは、やはり移動体デバイス１５０４を経由して、基地局１５００に送信されるか、またはインターフェース１５１６を経由して基地局１６００から直接的に基地局１５０２に送信される。タイミングアドバンスと、滞在時間と、オプションで、移動体デバイス１５０４の横断距離とを含めて、セルスポットに関するすべての情報は、基地局１５０２から中央ネットワーク要素５００に送信される。
【００８１】
中央ネットワーク要素５００のプロセッサ１５０６は、上で説明された方法ステップを実行するプログラム１５０８を実行する。このプログラムと、タイミングアドバンスと、移動体デバイスおよびセルスポットの滞在時間と、オプションで、移動体デバイスの横断距離とに基づいて、中央ネットワーク要素５００は、基地局１６００のセルスポットを検出する。このセルスポットに関する情報は、例えば、基地局１５０２の記憶装置１５１０内に格納されるか、または基地局１６００もしくは図示されない別の基地局に送信されることも可能である。好ましくは、この情報は近接関係表１５１２内に格納される。
【符号の説明】
【００８２】
１  セル
２  セル
３  セル
４  セル
４４  セル
１００  セルラ無線通信ネットワーク
１０２  移動体デバイス 
３００  移動体デバイスはセルスポットに到着する
３０２  タイミングアドバンスはしきい値を超える
３０４  サービス提供基地局は有効範囲外にある
３０６  停止
３０８  時間はしきい値未満である
３１０  ハンドオーバ準備
３１２  検出されたセルスポット
３１４  停止
４０４  距離はしきい値未満である
５００  中央ネットワーク要素
７００  ターゲットセルに対するハンドオーバの後でセルスポットタイミングアドバンスを報告する
７０２  前の基地局は有効領域外にある
８００  ハンドオーバ履歴情報を受信する
１０００  移動体デバイスは新しいターゲットセルにハンドオーバする
１００２  一時的なセルスポットを検出する
１００４  タイミングアドバンスを報告するための要求を移動体デバイスに送信する
１００６  移動体デバイスからタイミングアドバンスを受信する
１００８  移動体デバイスからの入力を用いてセルスポットを識別する
１１００  移動体デバイスおよび送信速度のハンドオーバ
１５００  基地局
１５０２  基地局
１５０４  移動体デバイス
１５０６  プロセッサ
１５０８  プログラム
１５１０  記憶装置
１５１２  近接関係表
１５１４  インターフェース
１５１６  インターフェース
１５１８  プロセッサ
１５２０  インターフェース
１６００  基地局
１６０２  インターフェース
【図１】
2013502792.tif 000003
【図２】
2013502792.tif 000004
【図３】
2013502792.tif 000005
【図４】
2013502792.tif 000006
【図５】
2013502792.tif 000007
【図６】
2013502792.tif 000008
【図７】
2013502792.tif 000009
【図８】
2013502792.tif 000010
【図９】
2013502792.tif 000011
【図１０】
2013502792.tif 000012
【図１１】
2013502792.tif 000013
【図１２】
2013502792.tif 000014
【図１３】
2013502792.tif 000015
【図１４】
2013502792.tif 000016
【国際調査報告】
2013502792.tif 000017
2013502792.tif 000018
2013502792.tif 000019